(57)【要約】【課題】デジタル放送を受信しさらに例えば家庭内の機器にこのデジタル放送を伝送する場合に、機器間の認証処理を行うことで家庭内に限定したデジタル信号の伝送処理を可能とするデジタル放送受信機を提供する。【解決手段】コンテンツを送信する場合に認証が要或いは不要を指示する認証指示情報を少なくとも含むデジタル放送を他の受信機に送信する受信機であって、認証指示情報を参照し、認証が要であるか不要であるかを判断する判断手段２１２と、認証が要であると判断された場合、他の受信機に対して認証鍵を要求し認証鍵を受信する受信手段と、認証鍵に基づいてデスクランブラからの信号を暗号処理する暗号処理手段２１６と、暗号処理手段により暗号処理された信号を他の受信機に送信する送信手段とを具備する。【選択図】      図２
2004274290.tif 000002
【特許請求の範囲】
【請求項１】
コンテンツ及び、このコンテンツを送信する場合に認証が要或いは不要を指示する認証指示情報を少なくとも含むデジタル放送を受信する選局手段と、
前記選局手段からの信号をデスクランブルするデスクランブラと、
前記デスクランブラからの信号をＭＰＥＧデコードするＭＰＥＧデコード処理手段と、
機器間を接続するインターフェースと、
前記インターフェースを介して他の受信機にコンテンツを送信する場合、このコンテンツについて前記認証指示情報を参照し、認証が要であるか不要であるかを判断する判断手段と、
前記判断手段により認証が要であると判断された場合、前記他の受信機に対して認証鍵を要求し前記認証鍵を受信する受信手段と、
前記認証鍵に基づいて前記デスクランブラからの信号を暗号処理する暗号処理手段と、
前記暗号処理手段により暗号処理された信号を前記他の受信機に送信する送信手段とを具備することを特徴とするデジタル放送受信機。
【発明の詳細な説明】
【０００１】
【発明の属する技術分野】
本発明は、デジタル放送受信機に関する。
【０００２】
【従来の技術】
デジタル放送信号を機器間で送受信するためのバス規格であるＩＥＥＥ１３９４では、伝送される信号を暗号化して保護するＤＴＣＰ（５Ｃ  Ｄｉｇｉｔａｌ  Ｔｒａｎｓｍｉｓｓｉｏｎ  Ｃｏｎｔｅｎｔ  Ｐｒｏｔｅｃｔｉｏｎ）仕様が規定されている（非特許文献１参照）。
【０００３】
その公開資料によれば、デジタル放送信号を伝送するにあたり、機器間で相互に認証を行った後、伝送される信号を暗号化することで著作権を保護できることが説明されている。
【０００４】
【非特許文献１】
［平成１４年１０月３０日検索］、インターネット＜ＵＲＬ：ｈｔｔｐ：／／ｗｗｗ．ｄｔｃｐ．ｃｏｍ／ｄａｔａ／ｗｐ＿ｓｐｅｃ．ｐｄｆ＞
【０００５】
【発明が解決しようとする課題】
しかしながら上記ＤＴＣＰ仕様に記載された暗号化方法では、デジタル放送信号を暗号化する場合に、信号の伝送にあたって機器を特定或いは制限して伝送しておらず、例えば家庭内での伝送に限るといった用い方はできない。
【０００６】
特に無線ネットワーク技術、例えばｂｌｕｅｔｏｏｔｈ、８０２．１１ｘ、ｕｌｔｒａ  Ｗｉｄｅｂａｎｄ等では家庭外への信号の伝送が容易となるためＤＴＣＰに準拠した機器間での伝送は可というような制限よりも強く制限しないとならない。
【０００７】
本発明は、上記問題を解決するために成されたもので、デジタル放送を受信しさらに例えば家庭内の機器にこのデジタル放送を伝送する場合に、機器間の認証処理を行うことで家庭内に限定したデジタル信号の伝送処理を可能とするデジタル放送受信機を提供する。
【０００８】
【課題を解決するための手段】
上記目的を達成するために、本発明は、コンテンツ及び、このコンテンツを送信する場合に認証が要或いは不要を指示する認証指示情報を少なくとも含むデジタル放送を受信する選局手段と、
【０００９】
前記選局手段からの信号をデスクランブルするデスクランブラと、
前記デスクランブラからの信号をＭＰＥＧデコードするＭＰＥＧデコード処理手段と、
機器間を接続するインターフェースと、
前記インターフェースを介して他の受信機にコンテンツを送信する場合、このコンテンツについて前記認証指示情報を参照し、認証が要であるか不要であるかを判断する判断手段と、
【００１０】
前記判断手段により認証が要であると判断された場合、前記他の受信機に対して認証鍵を要求し前記認証鍵を受信する受信手段と、
前記認証鍵に基づいて前記デスクランブラからの信号を暗号処理する暗号処理手段と、
前記暗号処理手段により暗号処理された信号を前記他の受信機に送信する送信手段とを具備することを特徴とするデジタル放送受信機を提供する。
【００１１】
【発明の実施の形態】
以下、本発明の実施形態について図面を用いて詳細に説明する。なお、本発明は、以下の実施形態に限定されるものではない。
図１は、本発明の実施形態１に係わるデジタル放送受信機を２台接続して、使用する例を説明する図である。
図１に示すように、デジタル放送受信機１は、ハードディスクＨＤＤ３を内蔵し、もう一台のデジタル放送受信機４との間で、デジタル放送のコンテンツデータを授受することができるようになっている。なお、図１では説明のため便宜的にＨＤＤ３をデジタル放送受信機１の枠からはみだして表現しているが、デジタル放送受信機１に内蔵しているものとする。
【００１２】
本実施形態では、２台のデジタル放送受信機１、４間で、デジタル放送コンテンツを提供するにあたり、事前にデジタル放送受信機１、４間で認証すること、認証に使用する鍵情報は放送提供者側から供給すること、デジタル放送受信機１，４間で伝送されるデジタル放送コンテンツが、認証をする必要があるものか否かを放送側が指定できるようになっている。
【００１３】
また、デジタル放送受信機１とデジタル放送受信機４の接続方法については特に限定されず、デジタル放送受信機放送コンテンツデータの授受に加えて、少なくともデジタル放送受信機１とデジタル放送受信機４の間で相互に認証するときに使われるデータの交換ができるものであれば何でも良い。例えば前述のＩＥＥＥ１３９４というシリアルバスでも良い。
【００１４】
以下の説明では、このＩＥＥＥ１３９４というシリアルバスを前提に説明する。なお日本のデジタル放送受信機の場合には、このＩＥＥＥ１３９４というシリアルバスは、高速デジタルインターフェースという名称で呼ばれている。
【００１５】
図１に示すように、このデジタル放送受信機１には、ＩＣカード２が接続されている。このＩＣカード２は、デジタル放送受信機１において有料スクランブル放送を視聴可能とするものであり、あるいはまた著作権保護を目的とした無料スクランブル放送を受信するために使用するＩＣカードである。例えばこのＩＣカード２は、放送信号に多重された個別情報信号（ＥＭＭ）、共通情報信号（ＥＣＭ）を使用して、スクランブル放送を受信するための処理に使用する。
【００１６】
また、例えば有料スクランブル放送を受信する場合、視聴契約をむすんだ視聴者が所有するＩＣカード２に対して、放送局から視聴契約に応じたＥＭＭが送付される。デジタル放送受信機１ではそのＥＭＭを受信し、ＩＣカード２に内蔵されているメモリ領域に記憶する。このＥＭＭは、その視聴者の視聴契約（視聴可否）に関連する情報を有するものであり、例えば、どのチャンネルもしくはどのコンテンツを視聴することが可能かどうか示す情報のほか契約の期限等を示すデータを含む。
【００１７】
また、ＥＭＭの一部データとして送信され、契約のある視聴者に放送側から与えられるのがワーク鍵と呼ばれる鍵データであり、ワーク鍵を用いて後述のＥＣＭの暗号復号を行う様になっている。
【００１８】
また、このＥＭＭも放送側で暗号化され受信機に伝送されるが、受信機側にあらかじめ（製造時等）組み込まれているマスター鍵と呼ばれる鍵データを使用してデジタル放送受信機１で暗号復号し利用する。
【００１９】
なおマスター鍵を個々の受信機ごとに変える様にすれば、放送側は受信機を個々に視聴可否を制御できる様になる。この制御はＩＣカードごとに異なるようになっており、他のカード向けに送信されたＥＭＭを流用できないようになっている。
【００２０】
一方ＥＣＭはＥＭＭと組み合わせて使用するデータである。このＥＣＭは、例えば、チャンネルあるいは番組コンテンツに関連する情報であり、スクランブルされている番組コンテンツに使用しているスクランブル鍵データの他、その番組コンテンツの放送日時など視聴可否に使用する条件データ等で構成される。このＥＣＭと前記ＥＭＭをＩＣカード２で照らし合わせることにより、その番組コンテンツを視聴しても良いかどうかの判定を行い、視聴可となった場合に、ＥＣＭ内のスクランブル鍵情報をＩＣカードから受信機本体（デジタル放送受信機１）に出力し、デジタル放送受信機１内の図示しないデスクランブラにおいて使用して、番組コンテンツをデスクランブルし視聴するものである。
【００２１】
以上説明したように、デジタル放送受信機１では視聴契約したデジタル放送受信機放送コンテンツをデスクランブルし、放送信号に多重されたデータにより蓄積が許可されているものについては、ＨＤＤ３に蓄積しているものとする。
【００２２】
続いて、このデジタル放送受信機放送コンテンツデータを、高速デジタルインターフェースを介してデジタル放送受信機４へ伝送し、デジタル放送受信機４において視聴する場合を想定し説明する。
【００２３】
先ず、放送事業者は、高速デジタルインターフェースを介してデジタル放送受信機放送コンテンツデータを授受可能な受信機をコントロールできるものとする。
具体的には図１の例において、放送事業者がＩＣカード２およびＩＣカード５に対して、相互認証を可能とするための情報を与えるものである。なお、この情報は、前述のＥＭＭ内における一部の情報として、与えられるものとする。
【００２４】
図１に示すように，視聴者が高速デジタルインターフェースを介してデジタル放送により送られるコンテンツデータを授受可能であるデジタル放送受信機を、２台有していた場合に、その２つのＩＣカードを特定するＩＤ情報を放送事業者にコンテンツデータを授受することができるように要求する。
【００２５】
この要求を放送事業者が認めた場合に、その２つのＩＣカード２及び５に対し、ＥＭＭ内の一部の情報としてＩＣカード２及び５間で認証を可能とするための情報が提供される。
【００２６】
また、ＩＣカード２及び５間での認証を可能とするための情報とは、例えば認証用に共通鍵暗号アルゴリズムを利用する場合には、共通鍵の鍵情報（以下、認証鍵とする）であり、デジタル放送受信機４からコンテンツデータの要求を受けたデジタル放送受信機１が、デジタル放送受信機４に対して認証を要求する場合には、以下のような手順で認証するものとする。
【００２７】
先ず、デジタル放送受信機１からデジタル放送受信機４に対し認証を要求するとともに、デジタル放送受信機１からデジタル放送受信機４に対し乱数を送付する。
次に、デジタル放送受信機４ではその乱数を認証鍵により暗号化した後にデジタル放送受信機１に返す。
次に、デジタル放送受信機１は、デジタル放送受信機４から送信された暗号化後のデータと、デジタル放送受信機１自身で認証鍵を使用し、乱数を暗号化した結果を比較する。こうすることによりデジタル放送受信機１は、デジタル放送受信機４が認証鍵を所有していることが確認できる。
【００２８】
以上の処理において、デジタル放送受信機１が発生するデータは乱数であるので、たとえデジタル放送受信機４が前回の認証時のデータを記憶しておいても、当回に流用することは困難である。
【００２９】
したがって、デジタル放送受信機１はデジタル放送受信機４が秘密の情報である相互認証鍵を有しており、コンテンツデータの要求を受けたデジタル放送受信機１が、デジタル放送受信機４に対して要求に応じても良いと、判断することができる。
【００３０】
なお認証の方式に関しては、ここで説明した方法に限るものではなく、例えば公開鍵暗号方式を利用したものであっても良い。また認証を可能とするための情報としては、前記認証鍵のみでなく、共通鍵暗号アルゴリズム自体を提供するものであっても良い。
【００３１】
以上のように、デジタル放送受信機４を認証したデジタル放送受信機１は、ＨＤＤ３に蓄積しているデジタル放送に含まれるコンテンツデータを、高速デジタルインターフェースを介してデジタル放送受信機４へ伝送し、デジタル放送受信機４が視聴可能とする。
【００３２】
なお、デジタル放送に含まれるコンテンツデータを伝送するにあたっては、暗号化して伝送すればよりセキュリティーが高い。このため暗号化する前記デジタル放送受信機１は、デジタル放送受信機４が認証した以降の処理として、デジタル放送受信機１からデジタル放送受信機４に対し今回のデジタル放送受信機放送コンテンツデータを暗号化する鍵を送付するものとする。この場合、暗号化鍵は、デジタル放送受信機１がデジタル放送受信機４を認証する都度、乱数的に変更するのが望ましい。
【００３３】
さらにデジタル放送受信機１からデジタル放送受信機４に対しデジタル放送に含まれるコンテンツデータを伝送している最中にも、定期的（例えば数秒ごと）に更新するほうが望ましい。以上を、認証処理も含めて記述すると、以下のようになる。
【００３４】
デジタル放送受信機１からデジタル放送受信機４に対し認証を要求するとともに、デジタル放送受信機１からデジタル放送受信機４に対し乱数を送付する。
次に、デジタル放送受信機４ではその乱数を認証鍵で暗号化後にデジタル放送受信機１に返す。
次に、デジタル放送受信機１はデジタル放送受信機４から送信された暗号化された後のデータと、デジタル放送受信機１自身で認証鍵を使用し乱数を暗号化した結果のデータを比較する。こうすることにより、デジタル放送受信機１は、デジタル放送受信機４が認証鍵を所有していることが確認できる。
【００３５】
以上の処理において、デジタル放送受信機１が発生するデータは乱数であるので、たとえデジタル放送受信機４が前回の認証時のデータを記憶しておいても、当回に流用することは困難である。したがって、デジタル放送受信機１はデジタル放送受信機４が秘密の情報である相互認証鍵を有しており、コンテンツデータの要求を受けたデジタル放送受信機１が、デジタル放送受信機４に対して要求に応じても良いと、判断することができる。
【００３６】
続いて、デジタル放送受信機１からデジタル放送受信機４に対し、デジタル放送受信機放送コンテンツデータを暗号化する鍵（以下、コンテンツ暗号鍵）を認証鍵で暗号化し、送付する。この暗号化鍵は乱数発生的に生成するものとし、前回の鍵が流用できないように生成する。
【００３７】
次に、デジタル放送受信機４は、前記暗号化されたコンテンツ暗号鍵を認証鍵で復号化し、以後デジタル放送受信機１からデジタル放送受信機４に対し、当該コンテンツ暗号鍵で暗号化されたデジタル放送受信機放送コンテンツデータを復号し、デジタル放送受信機４で視聴可能なようにするものである。
【００３８】
なお前述のように、デジタル放送受信機１からデジタル放送受信機４に対し、コンテンツ暗号鍵を定期的に更新して送付すれば、より安全性が高くなる。
以上の説明では、デジタル放送受信機放送コンテンツデータを提供するのはデジタル放送受信機１であり、視聴するのがデジタル放送受信機４であることから、ＩＣカード２をマスター、ＩＣカード５をスレーブと表現している。
【００３９】
このため図１の例では、ＩＣカード２に関しては、スクランブルされたデジタル放送受信機放送コンテンツデータを受信し復号後に、ＨＤＤ３に蓄積するために、少なくとも当該デジタル放送受信機放送コンテンツデータを視聴可能な契約情報すなわちＥＭＭが提供されていることが前提である。一方、ＩＣカード５に関しては、デジタル放送受信機１がデジタル放送受信機４を認証することが可能となるための情報が提供されていれば良く、当該デジタル放送受信機放送コンテンツデータを視聴可能なＥＭＭは必ずしも必要ない。
【００４０】
以上のように放送提供側がＥＭＭによりデジタル放送受信機間の認証することが可能となるための情報を提供することで、デジタル放送受信機放送コンテンツデータのデジタル放送受信機間の授受を制御することが可能となる方法および装置を提示した。このデジタル放送受信機間の認証することが可能となるための情報に関しては、逆に放送提供側からＥＭＭにより解除を指示することも可能とする。すなわち前記実施例では、認証鍵の消去指示をＥＭＭにより与えるというものである。
【００４１】
この制御方法により、私的な利用の範囲内での信号の機器間伝送の許可不許可を放送提供側が制御可能となる。
次に、図２に本発明のデジタル放送受信機内の処理ブロック図を示し、デジタル放送受信機内での処理のより詳細な説明を行う。
図２は、デジタル放送受信機１の内部の処理ブロック図であり、図１と同じ処理部には同じ番号を付しその詳細な説明は省略する。
図２に示すように、先ずアンテナ２１からデジタル放送受信機１内の選局部２２に信号が入力する。続いて、リモコン２１９から、デジタル放送受信機１内のリモコン受信部２１８に視聴者の希望するチャンネル情報が与えられる。このチャンネル情報は、システムコントロール部２１７に与えられる。システムコントロール部２１７はこの情報に基づいて選局部２２をコントロールして希望のあったチャンネルを選局し出力する。
【００４２】
次に、選局部２２で選局されたデジタル放送信号は分離部２３に入力され、ＭＰＥＧ方式により映像、音声、データが多重されて伝送されているデジタル放送信号から、視聴者が視聴する映像、音声、データのコンテンツデータと、前述のＥＭＭ、ＥＣＭのデータを分離する。なお実際にはＳＩ／ＰＳＩと呼ばれるデータも分離し、ＭＰＥＧ方式で伝送された信号の分離、ＭＰＥＧデコード処理、電子番組ガイド（以下、ＥＰＧ）の提示処理に使用する。
【００４３】
分離部２３で分離されたＥＭＭは、さらにフィルタリング回路２４にて自ＩＣカード向けのＥＭＭのみを取り込むように選別される。このフィルタリング回路２４にはＩＤ記憶部２５から自ＩＣカードのＩＤが与えられ、フィルタリングに使用するようになっている。なおＩＤ記憶部２５に対しては、ＩＣカード２が挿入された際もしくはデジタル放送受信機１の電源がオンした際に、ＩＣカード２内の図示していないＩＤメモリ部からＩＤ記憶部２５に対し、ＩＤ情報が与えられるようになっている。
【００４４】
フィルタリング回路２４にてフィルタリングされたＥＭＭは、ＩＣカード２内のＥＭＭ復号部２８にて暗号復号化され、復号結果はＥＭＭメモリ２１１に記憶される。この復号の際に使用する暗号復号鍵であるマスター鍵Ｋｍｉは、Ｋｍｉメモリ２９からＥＭＭ復号部２８に与えられる。また、Ｋｍｉメモリ２９にはＩＣカードが製造された時、もしくは視聴者に渡される前のカード発行時に、マスター鍵Ｋｍｉが組み込まれるものであり、同時にＩＤも図示しない記憶メモリに書き込まれる。
【００４５】
またフィルタリング回路２４にてフィルタリングされたＥＣＭは、ＩＣカード２内のＥＣＭ復号部２７にて暗号復号化される。なお図２では便宜的に復号後のＥＭＭからＥＣＭを復号する鍵であるワーク鍵Ｋｗが与えられているが、ＥＭＭメモリ２１１に記憶後にＥＭＭメモリ２１１から与えられても良い。
【００４６】
次に、視聴可否判定部２１２では、ＥＭＭメモリ２１１から与えられる契約に関する情報と、ＥＣＭ復号部２７から与えられるチャンネルもしくは番組に関する視聴条件の情報とを比較判定し、視聴可否判定を行う。視聴可となった場合には視聴可否判定部２１２からデスクランブラ２１０にデスクランブル鍵が与えられる。
【００４７】
なお、このデスクランブル鍵は、ＥＣＭに多重されているデータの一部である。また、この視聴判定の際、視聴する番組が、番組単位の課金に対応したいわゆるペイパービュー番組であった場合には、視聴者に対し番組の視聴料金が提示され、視聴者が購入の意思を、リモコン２１９を介して受信機に入力し、図示しないがシステムコントロール部２１７からＩＣカード２に対し意思が伝えられる。すると、視聴可否判定部２１２では当該番組を特定するＥＣＭ内に含まれる番組に関する情報（以下、視聴情報）を視聴情報メモリ２１３に記憶するとともに、視聴を可とするものである。視聴情報メモリ２１３に記憶された視聴情報は、モデム２１４および電話回線、インターネット回線等を通じて放送局側の視聴者管理部に送付され、視聴料金の精算がなされるようになっている。
【００４８】
次に、デスクランブラ２１０でデスクランブルした後の映像、音声、データのコンテンツデータはＭＰＥＧデコーダ２１５でデコード処理をした後、映像はデジタル放送受信機１のモニタ２２０に、音声はスピーカ２２１に与えられ、視聴者がデジタル放送を視聴できるようになっている。
【００４９】
なおデータ放送サービスのデータについては、図示しないデータ放送信号のデコード部でデコード後に、デジタル放送受信機１のモニタ２２０もしくはスピーカ２２１を介して視聴者に提供されるものとする。
【００５０】
また、デスクランブラ２１０でデスクランブルした後の映像、音声、データのコンテンツデータは放送信号に多重されたデータにより蓄積が許可されている場合には、視聴者の希望により、ＨＤＤ３に蓄積記憶することも可能である。なおＨＤＤ３は蓄積装置の一例をあげたものであって、他のメディアを利用したものであっても良い。
【００５１】
最後に、デジタル放送受信機１は、認証および暗号化、復号化部２１６が、高速デジタルインターフェース２２２を介してデジタル放送受信機４と接続されており、前述のようにデジタル放送受信機４からコンテンツが要求された場合、デジタル放送受信機４との間で認証を行い、認証の結果問題なしと判断すれば、ＨＤＤ３に蓄積された放送コンテンツを暗号化し、高速デジタルインターフェース２２２を介してデジタル放送受信機４へ伝送するものである。
【００５２】
なお、デジタル放送受信機４も同様な回路構成とし、デジタル放送受信機４内の認証および暗号化、復号化部を利用して、デジタル放送受信機１との間で認証を行い、認証後に高速デジタルインターフェースを介してデジタル放送受信機１から伝送される暗号化された放送コンテンツを、復号化し、視聴するものである。
【００５３】
また以上の説明では、ＨＤＤ３に蓄積されたコンテンツを機器間で伝送を行う場合について説明したが、デジタル放送受信機１で受信中の放送コンテンツを直接伝送しても良いものとする。
【００５４】
また図２では、高速デジタルインターフェースに適用されるＤＴＣＰの認証および暗号等の処理回路を含む処理回路については省略している。このＤＴＣＰの認証および暗号等の処理は、ＤＴＣＰの適用基準に応じて本実施例の処理とは別に、並列に行われることとする。
【００５５】
以上のように放送提供側がＥＭＭによりデジタル放送受信機間の認証することが可能となるための情報を提供することで、デジタル放送受信機放送コンテンツデータのデジタル放送受信機間の授受を、放送提供側が制御することが可能となる方法および装置を提示した。
【００５６】
次に、図３を用いて、本発明の実施形態２として、機器間の認証処理を、認証および暗号化、復号化部２１６のようにＴＶ内の処理部で行うのではなく、ＩＣカード２内で行う例を示す。
【００５７】
図３に示すデジタル放送受信機が図２と異なるのは、図２の認証および暗号化、復号化部２１６を２つに機能分割し、認証部３１をＩＣカード２内に配置し、暗号化、復号化部３２をＴＶ内の処理部としたものである。これ以外は図２と同じであり、同じ処理部には同じ番号を付している。
【００５８】
デジタル放送受信機４からの放送コンテンツの要求が高速デジタルインターフェース２２を介してデジタル放送受信機１にあった場合、その要求は、図示しないがシステムコントロール部２１７からＩＣカード２に対し伝えられる。要求を受けたＩＣカード２では、認証処理部３１が乱数を発生し、デジタル放送受信機４に対し暗号化のチャレンジを行う。この乱数は図示しないがシステムコントロール部２１７を通じ、高速デジタルインターフェース２２を介してデジタル放送受信機４に伝えられる。
【００５９】
デジタル放送受信機４で当該乱数を認証鍵で暗号化したした結果は、高速デジタルインターフェース２２を介してデジタル放送受信機１に伝えられ、図示しないがシステムコントロール部２１７からＩＣカード２に対し伝えられる。この結果を認証処理部３１で検証し、問題なしと判断すれば、以後、暗号化、復号化部３２で放送コンテンツを暗号化し、高速デジタルインターフェース２２２を介してＴＶ４へ伝送するものである。
【００６０】
なお、暗号化、復号化部３２に対しては、認証処理部３１から暗号鍵が提供され、暗号化するようになっている。またこの暗号鍵は認証鍵で暗号化後に、高速デジタルインターフェース２２２を介してデジタル放送受信機４へ伝送され、デジタル放送受信機４において放送コンテンツの復号処理に使用される。
【００６１】
以上のように、認証処理をＩＣカード２内の認証処理部３１で行うことにより、ＴＶ内の処理部で行うよりもより不正がしにくく、安全性が高くなる。
またＩＣカード２内であるため、ＥＭＭで伝送される機器間の認証することが可能となるための情報（認証鍵等）を安全に放送局側から認証処理部３１に伝送することが可能である。
【００６２】
次に、図４を用いて本発明の実施形態３を説明する。ここでは放送コンテンツを機器間で伝送するに際し、すべての放送コンテンツについて機器間で認証処理を行うのではなく、放送局側が選択的に機器間の認証処理を指示できるシステムを説明する。
【００６３】
図４が図３と異なるのは、ＥＣＭ復号部２７から認証の要／不要指示情報が出力される点であり、これ以外は図３と同じである。
この認証の要／不要指示情報は、ＥＣＭの一データとして、放送側でＥＣＭに多重され暗号化されて伝送されるものであって、放送チャンネルごと、あるいは放送番組ごと、あるいは放送番組の映像、音声等の各エレメントごとに指定できるものとする。
【００６４】
この認証の要／不要指示情報は、ＨＤＤ３に放送コンテンツを蓄積する際に、放送コンテンツと関連付けて記録蓄積するものとし、ＨＤＤ３から再生する際には放送コンテンツと関連付けられているため、放送コンテンツごとに認証の要／不要がわかるものとする。
【００６５】
したがって、デジタル放送受信機４からの放送コンテンツの要求が高速デジタルインターフェース２２を介してデジタル放送受信機１にあった場合、その要求は、図示しないがシステムコントロール部２１７からＩＣカード２に対し伝えられる。要求を受けたＩＣカード２では、まず要求を受けたコンテンツが認証必要なコンテンツかどうか判定する。すなわち、要求されたコンテンツが蓄積されたコンテンツの場合にはＨＤＤ３から要求のあったコンテンツと関連付けて記録している認証の要／不要指示情報を取り出し認証部３１で判定するほか、要求されたコンテンツが現在受信中の番組コンテンツの要求であった場合にはＥＣＭ復号部２７から出力されている認証の要／不要指示情報を認証部３１で判定する。
【００６６】
判定の結果、要求のあったコンテンツが認証を必要とするものであった場合には、認証処理部３１が乱数を発生し、デジタル放送受信機４に対し暗号化のチャレンジを行う。この乱数は図示しないがシステムコントロール部２１７を通じ、高速デジタルインターフェース２２を介してデジタル放送受信機４に伝えられる。デジタル放送受信機４で当該乱数を認証鍵で暗号化したした結果は、高速デジタルインターフェース２２を介してデジタル放送受信機１に伝えられ、図示しないがシステムコントロール部２１７からＩＣカード２に対し伝えられる。この結果を認証処理部３１で検証し、問題なしと判断すれば、以後、暗号化、復号化部３２で放送コンテンツを暗号化し、高速デジタルインターフェース２２２を介してデジタル放送受信機４へ伝送するものである。
【００６７】
なお、暗号化、復号化部３２に対しては、認証処理部３１から暗号鍵が提供され、暗号化するようになっている。
以上のように認証処理を適用することにより、放送局側が選択的に機器間の認証処理を指示できるため、放送局側が是非保護したいコンテンツについては認証を指示し、放送局側の著作権を守るが、それ以外のコンテンツについては特に指示しないので、コンテンツを伝送する先のデジタル放送受信機４側に、認証処理機能が不要であるという自由度があるという視聴者側のメリットを有する。具体的にはデジタル放送受信機４側にＥＭＭを受信し、機器間の認証することが可能となるための情報（認証鍵等）を記憶するＩＣカードが不要となる。
【００６８】
また、以上説明した例では、放送局側が選択的に機器間の認証処理を指示できる情報はＥＣＭの一データとして伝送する場合を示したが、受信機への伝送はこれに限るものではなく、例えばＳＩ／ＰＳＩデータの一データとして、伝送しても同様な効果が得られる。
【００６９】
以上の説明では、機器間の認証することが可能となるための情報（認証鍵等）を記憶し、認証処理するブロックがＩＣカード内にある場合を示した。
図５に、実施形態４として、図２に示す実施形態を改良したものを示す。図４の例と同様に放送局側が選択的に機器間の認証処理を指示できるものである。
この実施形態では、ＥＣＭ復号２７が認証及び暗号化／復号化２１６に対して認証の要／不要の指示をするものである。
さらに図６に、実施形態５として、図４に示す実施形態を改良したものを示す。デジタル放送受信機内での放送コンテンツの蓄積に際し、デスクランブル後の信号を蓄積するのではなく、伝送時のスクランブルがかけられた状態で蓄積する場合においても、同様に、認証処理を行う本方式を適用可能である。
【００７０】
図４と示したものとの相違点は、ＨＤＤ３の挿入位置、および選択部６１の追加である。これ以外については図４と同じであり、各処理ブロックに付した番号も同一にしている。
【００７１】
ＨＤＤ３がこの位置にある受信機では、ＨＤＤへの蓄積時にデスクランブル処理せず、再生時にデスクランブル処理するようになっている。これは特に前述のペイパービュー放送において視聴者の自由度を高めることが可能であり、ＨＤＤへの蓄積時には当該番組を購入するのか否か決めずに蓄積しておき、再生時に購入の意思を決めて、購入する場合には前述のように、リモコンを通じてＩＣカードに購入の意思を通知し、視聴を可能とするものである。
【００７２】
前述のように接続先のデジタル放送受信機４にて視聴する場合に、前述のようにデジタル放送受信機１とデジタル放送受信機４間で、認証および放送コンテンツの暗号化を行うものとするが、放送信号のデスクランブル処理については、以下の方法を実施可能とするものである。
【００７３】
どちらを選択するのかは、コンテンツの受け側すなわちデジタル放送受信機４側からデジタル放送受信機１側に要求できるものとする。
方法１）図６に示すデジタル放送受信機１内のＩＣカード２にて、購入の要求を受付け、視聴情報をＩＣカード２内の視聴情報メモリ２１３に記憶し、視聴を許可する場合である。
【００７４】
方法２）図６に示すデジタル放送受信機１内では、実際に購入せず、ＨＤＤ３から再生したスクランブルされたままの信号を、デスクランブラ２１０では購入していないためデスクランブルせず、デジタル放送受信機４へ伝送する場合であって、スクランブルされたままの信号は、デジタル放送受信機４内にて、購入処理がなされ、デジタル放送受信機４のＩＣカード内の視聴情報メモリに視聴情報を記憶し、視聴を許可する場合である。
【００７５】
前者の方法においては、少なくともデジタル放送受信機４からは、購入を希望する番組コンテンツを特定する情報がデジタル放送受信機１に提示され、デジタル放送受信機１では前述のようにデジタル放送受信機４を認証処理し、認証結果ＯＫであった場合には、当該番組を購入し、デスクランブル後の番組コンテンツを暗号化部３２にて暗号化処理し、デジタル放送受信機４へ送付するものである。なおこの場合にはデジタル放送受信機１にて購入処理を行うことから、ＥＣＭ復号部２７からの認証の要／不要指示情報に関わらず、デジタル放送受信機４を認証処理し、デジタル放送受信機４がデジタル放送受信機１と同一グループであることがデジタル放送受信機１が判定できるように、必ず認証するものとする。
【００７６】
後者の方法においては、少なくともデジタル放送受信機４からは、伝送を希望する番組コンテンツを特定する情報がデジタル放送受信機１に提示され、デジタル放送受信機１では、ＥＣＭ復号部２７からの認証の要／不要指示情報に応じて、必要であればデジタル放送受信機４を認証処理し、認証結果ＯＫであった場合には、当該番組を購入処理せずに、すなわちデスクランブル処理せずに、暗号化部３２にて暗号化処理し、デジタル放送受信機４へ送付するものである。なおこの場合にはデジタル放送受信機４では暗号化部３２に対応した復号処理後に、購入処理およびデスクランブル処理を行い、視聴が可能となる。
【００７７】
あるいは、ＥＣＭ復号部２７からの認証の要／不要指示情報に応じて、認証処理不要であればデジタル放送受信機１はデジタル放送受信機４を認証処理せず、当該番組を購入処理せずに、すなわちデスクランブル処理せずに、デジタル放送受信機４へ送付するものである。なおこの場合にはデジタル放送受信機４で、購入処理およびデスクランブル処理を行い、視聴が可能となる
【００７８】
さらに、このデジタル放送の機器間の伝送を有料サービスとして実施する場合に、機器間伝送ごとに課金するモデルに対応した例を示す。
図示しないが、図６の応用例としては認証部３１にて認証の回数をカウントし、カウント結果を図示しない記憶エリアに記憶し、視聴情報と同様にモデム２１４を介して、放送局側の視聴者管理部へカウント結果を送付することにより、放送局側の視聴者管理部では当該ＩＣカード２を有する視聴者の、放送コンテンツの機器間伝送状態が把握でき、放送局側が取り決めるルールに従って課金が可能となる。
【００７９】
さらには単なるカウント結果ではなく、放送番組コンテンツを特定する情報を、機器間伝送の都度記憶すれば、どのコンテンツを伝送したか把握でき、より細かい課金が可能となる。
【００８０】
あるいは、このように機器間伝送の実績データを放送局側が回収し、監視することにより、不正が行われていないか否かの判断をすることも可能である。
さらに、機器間接続するネットワークを高速デジタルインターフェースに限らず、ｂｌｕｅｔｏｏｔｈ、８０２．１１ｘ、ｕｌｔｒａ  ｗｉｄｅｂａｎｄ等々の各種無線ネットワークに、実施形態１乃至５を適用しても同様な効果が得られる。
【００８１】
さらには、インターネットを介して例えばデジタル放送受信機１を自宅に置き、デジタル放送受信機４を別荘であるとかレジャー先のホテル内のデジタル放送受信機としても同様な効果が得られる。
【００８２】
すなわち、デジタル放送受信機４に使用しているＩＣカード５を、別荘等の出先に持っていき、そこのデジタル放送受信機に差込み使用することを想定する。デジタル放送受信機１、デジタル放送受信機４ともに、インターネットに接続している必要があるが、ＩＣカード５のみを移動するだけで、自宅のデジタル放送受信機１内にある放送コンテンツを視聴可能となる。
【００８３】
さらには、インターネット接続可能なモバイル機器、例えばモバイル向けデジタル放送受信機に、デジタル放送受信機４に使用しているＩＣカード５を差込み、インターネット経由で自宅のデジタル放送受信機１内にある放送コンテンツを視聴可能となる。
【００８４】
【発明の効果】
本発明は、デジタル放送を受信しさらに例えば家庭内の機器にこのデジタル放送を伝送する場合に、機器間の認証処理を行うことで家庭内に限定したデジタル信号の伝送処理を可能とするデジタル放送受信機を提供できる。
【図面の簡単な説明】
【図１】本発明の実施形態１に係わるデジタル放送受信機の概念図。
【図２】本発明の実施形態１に係わるデジタル放送受信機のブロック図。
【図３】本発明の実施形態２に係わるデジタル放送受信機のブロック図。
【図４】本発明の実施形態３に係わるデジタル放送受信機のブロック図。
【図５】本発明の実施形態４に係わるデジタル放送受信機のブロック図。
【図６】本発明の実施形態５に係わるデジタル放送受信機のブロック図。
【符号の説明】
１・・・デジタル放送受信機
２・・・ＩＣカード
３・・・ＨＤＤ
４・・・デジタル放送受信機
５・・・ＩＣカード
２１・・・アンテナ
２２・・・選局機
２３・・・分離手段
２４・・・フィルタリング
２５・・・ＩＤ
２６・・・ＥＭＭ  暗号化／復号化
２７・・・ＥＣＭ復号
２８・・・ＥＭＭ復号
２９・・・Ｋｍｉメモリ
２１０・・・デスクランブラ
２１１・・・ＥＭＭメモリ
２１２・・・視聴可否判定手段
２１３・・・視聴情報メモリ
２１４・・・モデム
２１５・・・ＭＰＥＧデコーダ
２１６・・・認証及び暗号化／復号化手段
２１７・・・システムコントローラ
２１８・・・リモコン受信部
２１９・・・リモコン
２２０・・・ＴＶモニタ
２２１・・・音声出力手段
２２２・・・出力手段
【図１】
2004274290.tif 000003
【図２】
2004274290.tif 000004
【図３】
2004274290.tif 000005
【図４】
2004274290.tif 000006
【図５】
2004274290.tif 000007
【図６】
2004274290.tif 000008